(57)【要約】【課題】  本発明は、記録媒体を使用する者に対し、広告主が提供する電子的な広告を確実に閲覧させることができる広告システムを提供する。【解決手段】  任意のデータを保存できる追記可能領域とプログラムが保存された追記不可領域とを有する記録媒体と、記録媒体を読み書き可能なドライブと表示装置とを有するコンピュータと、広告データが配信可能な状態で保存されたサーバと、を備える。使用者が、記録媒体をドライブに装填することにより、記録媒体内の追記可能領域に保存されたファイルを表示するためのファイル管理ソフトを自動的に起動してその操作画面をコンピュータの表示装置に表示し、この操作画面に広告表示スペースを一体的に設け(S102)、サーバにコンピュータが自動的にアクセスしてサーバの広告データをコンピュータにダウンロードし(S112)、ダウンロードした広告データに基づく広告を前記広告表示スペースに表示する(S106)。【選択図】      図５
2005099168.tif 000002
【特許請求の範囲】
【請求項１】
任意のデータを保存できる追記可能領域とプログラムが保存された追記不可領域とを有する記録媒体と、
前記記録媒体を読み書き可能なドライブと表示装置とを有するコンピュータと、
通信網に接続され、広告データが配信可能な状態で保存されたサーバと、を備え、
前記記録媒体をドライブに装填することにより、前記記録媒体内の追記可能領域に保存されたファイルを表示するためのファイル管理ソフトを自動的に起動してその操作画面を前記コンピュータの表示装置に表示する手段、前記操作画面に広告表示スペースを一体的に設ける手段、前記サーバにコンピュータが自動的にアクセスしてサーバの広告データをコンピュータにダウンロードする手段、前記ダウンロードした広告データに基づく広告を前記広告表示スペースに表示する手段、を備えることを特徴とする広告表示システム。
【請求項２】
任意のデータを保存できる追記可能領域とプログラムが保存された追記不可領域とを有する記録媒体と、
前記記録媒体を読み書き可能なドライブと表示装置とを有するコンピュータと、
通信網に接続され、広告データが配信可能な状態で記録されたサーバと、を備え、
前記記録媒体をドライブに装填することにより、前記コンピュータの表示装置に、記録媒体の追記可能領域に任意のデータを保存するためのライティングソフトを自動的に起動してその操作画面を表示する手段、前記操作画面に広告表示スペースを一体的に設ける手段、前記サーバにコンピュータが自動的にアクセスして広告データをコンピュータにダウンロードする手段、前記ダウンロードした広告データに基づく広告を前記広告表示スペースに表示する手段、を備えることを特徴とする広告表示システム。
【請求項３】
任意のデータを記録できる追記可能領域とプログラムが記録された追記不可領域とを有する記録媒体と、
前記記録媒体を読み書き可能なドライブと表示装置とを有するコンピュータと、
通信網に接続され、広告データが配信可能な状態で記録されたサーバと、を備え、
前記記録媒体をドライブに装填して前記記録媒体内の追記可能領域に保存されたファイルを、コンピュータに具備された任意のアプリケーションソフトで開くことにより、前記コンピュータの表示装置に表示される前記ソフトの操作画面に広告表示スペースを一体的に設ける手段、前記サーバにコンピュータが自動的にアクセスしてサーバの広告データをコンピュータにダウンロードする手段、前記ダウンロードした広告データに基づく広告を前記広告表示スペースに表示する手段、を備えることを特徴とする広告表示システム。
【請求項４】
前記記録媒体の追記不可領域には、プログラムと広告データが保存されており、前記サーバにコンピュータがアクセスする前に、コンピュータがオンラインかオフラインかを検知する手段、前記コンピュータがオンライン状態の際には前記サーバの広告データをダウンロードし、一方、コンピュータがオフライン状態の際には追記不可領域に保存された広告データを読み込む手段、前記何れかの広告データに基づく広告を広告表示スペースに表示する手段を備える請求項１〜３の何れかに記載の広告表示システム。
【請求項５】
前記広告表示スペースに広告を表示した後、所定時間経過後に、異なる広告データに基づく広告を更新表示する手段を備える請求項１〜４の何れかに記載の広告表示システム。
【請求項６】
前記サーバには、データ量の大きい広告データとデータ量の小さい広告データが配信可能な状態で保存されており、前記コンピュータの通信速度に応じて、データ量の大きい広告データ又はデータ量の小さい広告データを選択してダウンロードさせる手段を備える請求項１〜５の何れかに記載の広告表示システム。
【請求項７】
任意のデータを記録できる追記可能領域と、追記不可領域と、に区画されたコンピュータ読み取り可能な記録媒体であって、前記追記不可領域には、前記追記可能領域に保存されたファイルを表示するファイル管理ソフトを自動的に起動するステップ、前記ファイル管理ソフトの操作画面に広告表示スペースを一体的に設けるステップ、所定のサーバに自動的にアクセスしてサーバの広告データをダウンロードするステップ、前記ダウンロードした広告データに基づく広告を前記広告表示スペースに表示するステップ、をコンピュータに実行させるためのプログラムが記録されていることを特徴とするコンピュータ読み取り可能な記録媒体。
【請求項８】
任意のデータを記録できる追記可能領域と、追記不可領域と、に区画されたコンピュータ読み取り可能な記録媒体であって、前記追記不可領域には、前記追記可能領域に任意のデータを保存するためのライティングソフトを自動的に起動するステップ、前記ライティングソフトの操作画面に広告表示スペースを一体的に設けるステップ、所定のサーバに自動的にアクセスしてサーバの広告データをダウンロードするステップ、前記ダウンロードした広告データに基づく広告を前記広告表示スペースに表示するステップ、をコンピュータに実行させるためのプログラムが記録されていることを特徴とするコンピュータ読み取り可能な記録媒体。
【発明の詳細な説明】
【技術分野】
【０００１】
本発明は、記録媒体の追記可能領域に使用者が任意のデータを保存する際などに、当該使用者に対し電子的な広告を行う広告表示システム及びこのシステムに用いられる記録媒体に関する。
【背景技術】
【０００２】
従来、テレビや紙チラシなどの広告に加えて、ティシュペーパーを無料配布するなどのようなプロモーション用商品を利用した広告が広く行われている。かかるプロモーション用商品として、ＣＤ−Ｒ（Compact Disc Recordable）などの記録媒体を用い、これを配布して広告宣伝を行うことが知られている（特開２００２−３２９１３５公報）。具体的には、この公報には、使用者が任意に使用できる追記可能領域と、自動的にＷＷＷブラウザを立ち上げ、所定のＵＲＬにアクセスするオートアクセスファイルが記録された追記不可領域とを備えた記録媒体を使用者に配布し、使用者がこれをコンピュータに装填すると、そのコンピュータのブラウザが自動的に立ち上がり、広告主のホームページを表示させることによって、宣伝広告を行う広告手法が開示されている。
【０００３】
しかしながら、一般的に、使用者は、広告を閲覧することが目的ではなく、追記可能領域に任意のデータを読書きする個人用の記録メディアとして使用することを目的として、この種の記録媒体を受け取るものである。従って、幾ら自動的にブラウザが立ち上がっても、広告を見たくないと思う使用者は、その広告を見ずにブラウザを終了するので、広告主が望む宣伝広告効果を期待できない。また、広告主のホームページから広告データをダウンロードする際の時間が長いと、これを待ちきれずにブラウザを終了する場合もあり、このような場合も同様に、広告主が望む宣伝広告効果を期待できない。
【特許文献１】特開２００２−３２９１３５公報
【発明の開示】
【発明が解決しようとする課題】
【０００４】
そこで、本発明は、任意のデータを追記可能な記録媒体を受け取った使用者が記録媒体を使用する際、この使用者に対し、広告主が提供する電子的な広告を確実に閲覧させることができる広告システム及びこのシステムに好適な記録媒体を提供することを課題とする。
【課題を解決するための手段】
【０００５】
本発明は、上記の課題を解決するための手段として、任意のデータを保存できる追記可能領域とプログラムが保存された追記不可領域とを有する記録媒体と、記録媒体を読み書き可能なドライブと表示装置とを有するコンピュータと、通信網に接続され、広告データが配信可能な状態で保存されたサーバと、を備え、記録媒体をドライブに装填することにより、記録媒体内の追記可能領域に保存されたファイルを表示するためのファイル管理ソフトを自動的に起動してその操作画面をコンピュータの表示装置に表示する手段、操作画面に広告表示スペースを一体的に設ける手段、サーバにコンピュータが自動的にアクセスしてサーバの広告データをコンピュータにダウンロードする手段、ダウンロードした広告データに基づく広告を前記広告表示スペースに表示する手段、を備える広告表示システムを提供する。
ここで、操作画面に広告表示スペースを一体的に設けるとは、操作画面を閉じる（終了する）と広告表示スペースも閉じられるが、広告表示スペースのみを閉じることができないことをいう。
【０００６】
かかるシステムは、記録媒体を受け取った使用者が、この記録媒体をコンピュータに装填することにより、ファイル管理ソフトの操作画面が自動的に表示され、このソフトの操作画面と一体的に設けられた広告表示スペースに、サーバからダウンロードした広告が表示されるので、記録媒体の使用者に対して最新の広告を見せることができる。また、記録媒体を使用して追記可能領域のファイル閲覧操作を行っている間、つまり、操作画面を表示している間は、広告表示スペースのみを閉じることができず、従って、使用者に、確実に広告を見せることができる。
【０００７】
また、本発明は、任意のデータを保存できる追記可能領域とプログラムが保存された追記不可領域とを有する記録媒体と、記録媒体を読み書き可能なドライブと表示装置とを有するコンピュータと、通信網に接続され、広告データが配信可能な状態で記録されたサーバと、を備え、記録媒体をドライブに装填することにより、コンピュータの表示装置に、記録媒体の追記可能領域に任意のデータを保存するためのライティングソフトを自動的に起動してその操作画面を表示する手段、操作画面に広告表示スペースを一体的に設ける手段、サーバにコンピュータが自動的にアクセスして広告データをコンピュータにダウンロードする手段、ダウンロードした広告データに基づく広告を広告表示スペースに表示する手段、を備える広告表示システムを提供する。
【０００８】
かかるシステムは、記録媒体を受け取った使用者が、この記録媒体をコンピュータに装填することにより、ライティングソフトが自動的に起動するので、使用者は記録媒体に任意のデータを保存する操作を行うことができ、更に、このソフトの操作画面と一体的にサーバからダウンロードした広告が表示されるので、記録媒体の使用者に対して最新の広告を見せることができる。また、この操作画面を表示している間は、広告表示スペースのみを閉じることができないから、使用者に、確実に広告を見せることができる。
【０００９】
さらに、本発明は、任意のデータを記録できる追記可能領域とプログラムが記録された追記不可領域とを有する記録媒体と、前記記録媒体を読み書き可能なドライブと表示装置とを有するコンピュータと、通信網に接続され、広告データが配信可能な状態で記録されたサーバと、を備え、記録媒体をドライブに装填して記録媒体内の追記可能領域に保存されたファイルを、コンピュータに具備された任意のアプリケーションソフトで開くことにより、コンピュータの表示装置に表示される操作画面に広告表示スペースを一体的に設ける手段、サーバにコンピュータが自動的にアクセスしてサーバの広告データをコンピュータにダウンロードする手段、ダウンロードした広告データに基づく広告を広告表示スペースに表示する手段、を備える広告表示システムを提供する。
【００１０】
かかるシステムは、記録媒体の追記可能領域に保存されたファイルを、コンピュータに具備された任意のアプリケーションソフトで開くことにより、このソフトの操作画面と一体的にサーバからダウンロードした広告が表示されるので、コンピュータに付属のアプリケーションソフトの使用時にも、最新の広告を見せることができる。また、この操作画面を表示している間は、広告表示スペースのみを閉じることができないから、使用者に、確実に広告を見せることができる。
【００１１】
さらに、上記記録媒体の追記不可領域には、プログラムと広告データが保存されており、サーバにコンピュータがアクセスする前に、コンピュータがオンラインかオフラインかを検知する手段、コンピュータがオンライン状態の際にはサーバの広告データをダウンロードし、一方、コンピュータがオフライン状態の際には追記不可領域に保存された広告データを読み込む手段、何れかの広告データに基づく広告を広告表示スペースに表示する手段を備える上記広告表示システムによれば、コンピュータがオフライン状態でサーバに接続できない場合に、予め記録媒体の追記不可領域に保存された広告データを表示するので、オフライン状態又は通信網に未接続の環境のコンピュータを使う使用者に対しても、確実に広告を見せることができる。
【００１２】
また、上記広告表示スペースに広告を表示した後、所定時間経過後に、異なる広告データに基づく広告に更新表示する手段を備える上記広告表示システムによれば、使用者に、様々な広告を見せることができるので好ましい。
【００１３】
さらに、上記サーバには、データ量の大きい広告データとデータ量の小さい広告データが配信可能な状態で保存されており、コンピュータの通信速度に応じて、データ量の大きい広告データ又はデータ量の小さい広告データを選択してダウンロードする手段を備える上記広告表示システムによれば、コンピュータの通信速度が遅い場合には、データ量の小さい広告データがダウンロードされ、通信速度が速い場合には、データ量の大きい広告データがダウンロードされるので、通信環境の違いによってダウンロード時間に差が生じ難く、従って、各ソフトの操作画面に広告を素早く表示させることができるので好ましい。
【００１４】
また、本発明の第２の手段は、任意のデータを記録できる追記可能領域と、追記不可領域と、に区画されたコンピュータ読み取り可能な記録媒体であって、追記不可領域には、追記可能領域に保存されたファイルを表示するファイル管理ソフトを自動的に起動するステップ、ファイル管理ソフトの操作画面に広告表示スペースを一体的に設けるステップ、所定のサーバに自動的にアクセスしてサーバの広告データをダウンロードするステップ、ダウンロードした広告データに基づく広告を広告表示スペースに表示するステップ、をコンピュータに実行させるためのプログラムが記録されているコンピュータ読み取り可能な記録媒体を提供する。
【００１５】
さらに、本発明は、任意のデータを記録できる追記可能領域と、追記不可領域と、に区画されたコンピュータ読み取り可能な記録媒体であって、追記不可領域には、追記可能領域に任意のデータを保存するためのライティングソフトを自動的に起動するステップ、ライティングソフトの操作画面に広告表示スペースを一体的に設けるステップ、所定のサーバに自動的にアクセスしてサーバの広告データをダウンロードするステップ、ダウンロードした広告データに基づく広告を広告表示スペースに表示するステップ、をコンピュータに実行させるためのプログラムが記録されているコンピュータ読み取り可能な記録媒体を提供する。
【発明の効果】
【００１６】
以上、本発明の広告表示システム及び記録媒体は、ファイル管理ソフト、ライティングソフト、その他のアプリケーションソフトの操作画面に、広告表示スペースが一体的に設けられ、この広告表示スペースに広告が表示されるので、使用者が各ソフトを起動させている間は広告のみを終了することができず、使用者に確実に広告を見せることができる。従って、広告主が望む宣伝広告効果の実効を図ることができる。また、広告データは、所定のサーバから自動的にダウンロードされるため、最新の広告を使用者に見せることができる。
【発明を実施するための最良の形態】
【００１７】
以下、本発明について、図面を参照しつつ説明する。
（第１実施形態）
本システム１は、図１に示すように、サーバ２と、このサーバ２にインターネットなどの通信網３（ＷＡＮ）を介して接続されたコンピュータ５と、このコンピュータ５に挿入される記録媒体から構成されている。
【００１８】
サーバ２には、ストレージなどの記憶装置が備えられており、この記憶装置には、複数の広告データが保存されている。各広告データは、通信網３を介してコンピュータ５に配信可能な状態で保存されている。この広告データは、広告主との契約などに従い、サーバ管理者が、適宜作製し、更新管理している。広告データとしては、静止画像、例えば、商品名などを表したテキスト、バナー、商品の絵柄や写真、テキストと絵柄や写真の結合などの宣伝広告的な静止画像、静止画像が時間の経過と共に変化する動的画像などを電子ファイル化したものが含まれ、必要に応じて、音声データを付加してもよい。これら複数の広告データ（表示装置に表示することによって表される広告）は、それぞれ宣伝しようとする対象（商品やサービスなど）が異なっていたり、或いは同じ対象について表現方法が異なるなどのように広告内容自体が異なるものの他、画素数が異なるなど同じ広告内容でデータ量が異なるものなどが準備されている。また、これら複数の広告データは、そのデータ容量に応じて、サーバの記憶装置内で複数に分類して記録されている。具体的には、図２に示すように、例えばデータ量の大きい広告データが保存されたデータベースとして大広告データ群Ｄ１と、データ量の小さい広告データが保存されたデータベースとして小データ群Ｄ２との２つの分類に分けて保存されている。例えば、１ＭＢ以上の広告データは、大広告データ群Ｄ１に分類され、それ未満の広告データは、小広告データ群Ｄ２に分類されている。さらに、各群Ｄ１，Ｄ２の中の各広告データは、例えば、更新日時の新しいものを第１位とするなどのように、サーバ管理者の所定の基準に従って順位付けされている。例えば、図２に示す例では、大広告データ群Ｄ１には、「ＡＡＡ」という商品に関する絵柄を表示できる容量１ＭＢの広告データＡが第１位に保存され、次いで「ＢＢＢ」という商品に関する動画及び音声を再現できる１０ＭＢの広告データＢ、「ＣＣＣ」というサービスに関する動画を表示できる３ＭＢの広告データＣ、…が順次保存されている。また、小広告データ群Ｄ２には、「ＤＤＤ」という商品に関する写真を表示できる１００ＫＢの広告データＤが第１位に保存され、次いで「ＥＥＥ」という商品に関する動画を表示できる５００ＫＢの広告データＥ、広告データＣと内容が同じで画素数の小さい３００ＫＢの広告データＣ’、…が順次保存されている。さらに、このように順位付けされた上、表示可能期間が設定されている。例えば、大広告データ群Ｄ１の広告データＡは、２００３年７月〜１１月、広告データＢは同６月〜１２月という期間が関連付けされており、この期間の間だけ、各広告データはダウンロード可能な状態として保存されている。
【００１９】
コンピュータ５は、ＣＰＵなどの制御部、ハードディスクやメモリなどの記憶部、ディスプレイなどの表示装置、ディスク型の記録媒体を読み書き可能なドライブ、キーボードなどの入力装置、スピーカーなどの音声出力装置などを備えるユーザーが一般的に使用する汎用的なパーソナルコンピュータが例示される。
【００２０】
記録媒体６は、コンピュータ５のドライブで読み書き可能で、且つ携帯できる可搬型のものであって、図３に示すように、任意のデータを書き込み（保存）可能な追記可能領域Ｒ１と、予めプログラムが保存されたアプリケーション領域Ｒ２１及び広告データが保存されたデータ領域Ｒ２２を有する追記不可領域Ｒ２とに区分けされている。追記可能領域Ｒ１は、ユーザーが一般的に使用するコンピュータ５で任意のデータを読み書でき、一方、追記不可領域Ｒ２は、該コンピュータ５では読み書できないように処理されている。記録媒体６としては、例えば、ＣＤ−Ｒ（Compact Disc Recordable）、ＤＶＤ−Ｒ（Digital Versatile Disk Recordable）、ＤＶＤ＋Ｒなどのような一度だけ任意のデータを記録できるライトワンス型の光ディスク型記録媒体や、ＣＤ−ＲＷ（Compact Disk ReWritable）、ＤＶＤ−ＲＷ（Digital Versatile Disk ReWritable）、ＤＶＤ＋ＲＷ、ＤＶＤ−ＲＡＭ（Digital Versatile Disk Random Access Memory）、ＭＯ（Magneto Optical disk）などのような光ディスク型記録媒体、ＦＤ（Floppy［登録商標］Disk）などの磁気記録媒体などを用いることができるが、ユーザーが追記可能領域Ｒ１に何度も任意データを読み書きできることから、ＣＤ−ＲＷ、ＤＶＤ−ＲＷ、ＤＶＤ＋ＲＷ、ＤＶＤ−ＲＡＭ、ＭＯなどの書換え可能型の記録媒体が好ましく、プロモーション用商品として無料配布する場合には製品コストが低く、且つ比較的大容量であることから、現状ではＣＤ−ＲＷを用いることがより好ましい。
【００２１】
記録媒体６のデータ領域Ｒ２２に保存された広告データは、上記サーバの広告データと同様に、商品名などの静止画像、動的画像、音声データなどが含まれ、複数種の広告データが保存されている。この複数の広告データも、サーバ２と同様に所定の基準（例えば、広告主が表示したいと希望する順序など）に従って順位付けがされた状態で保存されている。また、記録媒体６に保存された広告データも同様に、表示可能期間が関連設定されており、この期間外の場合には、その広告データは読み込まれない（表示されない）ようになっている。
記録媒体６のアプリケーション領域Ｒ２１に保存されたプログラムは、コンピュータ５のＯＳ（Operating Sysytem）と協働してＣＰＵに命令を付与して各種の処理を実行するものであって、コンピュータ５のメモリなどに一時的に読み込まれて実行される。このプログラムは、記録媒体６をコンピュータ５のドライブに装填すると自動的に読み込まれる自動実行ファイル形式であり、画面表示プログラム、通信状態を検知する検知プログラム、通信プログラムなどが含まれる。画面表示プログラムは、記録媒体６をコンピュータ５のドライブに装填すると、コンピュータ５のＯＳに付属のファイル管理ソフトなど（例えば、Windows［登録商標］に標準搭載のエクスプローラーなど）を自動的に起動させ、コンピュータ５の表示装置に、このファイル管理ソフトの操作画面（例えば前記エクスプローラーの操作画面）を表示させると共に、この操作画面の一部にこれと一体化して広告表示スペースを作製し、該広告スペースに後述する広告データに基づく広告を表示することをコンピュータ５に実行させる。通信状態を検知する検知プログラムは、コンピュータ５がオンラインかオフラインか（通信網に接続中かどうか）をコンピュータ５に検知させる。通信プログラムは、コンピュータ５がオンラインのときに、広告データが保存された所定のサーバ２のＵＲＬに自動的にアクセスさせ、サーバ２から順次異なる広告データをコンピュータ５にダウンロードさせる。このダウンロードした広告データは、コンピュータ５のハードディスク内の既存のフォルダ又は別途作製した広告データ保存用フォルダ内などに保存され、画面表示プログラムと連携して、上記広告表示スペースに表示される。尚、コンピュータ５がオフライン状態のときには、画面表示プログラムは、記録媒体６の追記不可領域Ｒ２に保存された第１位の広告データを読み出し、広告表示スペースにこれを表示させる。
【００２２】
次に、本実施形態の広告表示システム１の動作について図４〜図５を参照しつつ説明する。
記録媒体６は、例えば、街頭や店頭で配布されたり、本の付属品として配布されたりなどして、ユーザーの手に渡る。本発明の記録媒体６を受け取ったユーザーは、コンピュータ５をＯＮにし、ドライブにこの記録媒体６を挿入することにより使用を開始する（ステップＳ１０１）。コンピュータ５は、記録媒体６がセットされると、追記不可領域Ｒ２のアプリケーション領域Ｒ２１からプログラムを自動的に読み込んでメモリに記憶し、これによりＯＳに付属のファイル管理ソフトを起動する。そして、コンピュータ５の表示装置に、図４に示すような、ファイル（フォルダを含む）が階層構造で表された該ソフトの操作画面Ｍが表示される（ステップＳ１０２）。この際、この画面Ｍ内に広告表示スペースＭ１が設けられる。この広告表示スペースＭ１は、図４（ａ）に示すように、ファイル名の詳細が表示される分割フレームの一部分に設けてもよいし、図４（ｂ）に示すように、２〜３のファイル名毎に、１つの広告表示スペースＭ１が設けられるように、１つの操作画面Ｍ内に、複数の広告表示スペースＭ１を設けてもよい。
また、広告表示スペースＭ１は、操作画面Ｍの一部の領域に設けられる場合に限られず、例えば、操作画面Ｍの背景（壁紙）を広告表示スペースＭ１としてもよく（この場合には、表示される広告の上から、保存されているファイルなどが表示される）、又操作画面Ｍの外側にポップアップ的な窓を作製するようにして広告表示スペースＭ１としてもよい（この場合には、この窓は、単独では閉じる（終了）することはできず、操作画面Ｍ（ファイル管理ソフト）が閉じられることによって、この広告表示スペースＭ１は閉じられるように関連付けられている）。
【００２３】
次に、コンピュータ５がオンラインかオフラインかを検知する（ステップＳ１０３）。尚、通信状態を使用者に知らしめるため、表示装置に、オンライン又はオフラインの別を示すアイコンなどを表示する（ステップＳ１０４）。そして、オフライン状態のときには、記録媒体６のデータ領域Ｒ２２から、第１位に保存された広告データを読み出し、コンピュータ５のハードディスクの一部に確保した広告データ用保存フォルダにこの広告データを保存する（ステップＳ１０５）と共に、その広告データを操作画面Ｍの広告表示スペースＭ１に挿入表示する（ステップＳ１０６）。尚、オフラインの際、記録媒体６のデータ領域Ｒ２２から広告データを読み込む前に、オンラインに切り替えるか否か使用者に促す表示を行っても良い。この場合、使用者がオンラインへの切り替えを望んだときには、後述するステップＳ１０７に進み、切り替えを望まなかったときには、上記ステップＳ１０５の処理を実行する。
一方、オンライン状態のときには、コンピュータ５が、記録媒体６の通信プログラムに予め記録されているＵＲＬに自動的にアクセスして所定のサーバ２に接続し、サーバ２の広告データの送信要求を行う（ステップＳ１０７）。サーバ２は、送信要求のあったコンピュータ５のＩＰアドレスを特定し、そのコンピュータ５の通信速度を測る（ステップＳ１０８）。この通信速度を測る手段としては、Ｐｉｎｇ（Packet Internet Groper）が利用できる。具体的には、サーバ２からコンピュータ５に対して、ＩＣＭＰ（Internet Control Message Protocol）を使って３２バイト程度のデータを送信し、コンピュータ５からの応答がサーバ２に返信される。サーバ２では、送信から応答受信までの時間を計測して、通信速度を認定する（ステップＳ１０９）。尚、この通信速度の計測は、コンピュータ５側で行い、その速度をサーバへ送信するようにしてもよい。そして、サーバ２は、通信速度が所定基準（例えば、５００Ｋｂｐｓ（Kilo Bits Per Secondｓ））以上かどうかを判断する（ステップＳ１１０）。基準以上の場合には、大広告データ群Ｄ１の中の第１位に位置付けされた広告データを、基準未満の場合には、小広告データ群Ｄ２の中の第１位に位置付けされた広告データを、コンピュータ５に送信するように決定する（ステップＳ１１１）。尚、サーバ２は、コンピュータ５のクッキー（Cookie）を更新して、サーバ２の複数の広告データのうちから、当該コンピュータ５にどの広告データを送信したかが判るように記録しておく。
【００２４】
次に、通信網３を通じて、大広告データ群Ｄ１又は小広告データ群Ｄ２の第１位の広告データがコンピュータ５にダウンロードされると（ステップＳ１１２）、この広告データをコンピュータ５のハードディスク内の上記保存フォルダに保存すると共に、操作画面Ｍの広告表示スペースＭ１に表示する（ステップＳ１０６）。広告表示スペースＭ１に１つの広告が表示された後は、所定時間経過したかどうかが計測される。この間、サーバ２から第２位以降の広告データが逐次送信され、コンピュータ５は、これを保存フォルダ内に保存する。尚、記録媒体６がＣＤ−ＲＷなどのような書換え可能型の記録媒体の場合には、サーバ２からダウンロードした広告データを、記録媒体６の追記可能領域Ｒ１に作成した広告データ用保存フォルダに保存するようにしてもよい。そして、所定時間（例えば３０秒）経過すると、すでに表示した広告データに代えて、上記既にダウンロードされた広告データを順位に従って広告表示スペースＭ１に更新表示する。以降、操作画面Ｍが開かれている間は、オフライン時には、記録媒体６の追記不可領域Ｒ２から広告データが読まれ、オンライン時には、既にサーバ２からダウンロードした広告データがハードディスクなどの保存フォルダから読み込まれ、所定時間ごとに広告表示スペースＭ１が更新表示される処理を繰り返す（ステップＳ１１３）。
尚、上記操作画面Ｍの広告表示スペースＭ１に広告を表示するステップＳ１０３〜Ｓ１１３は、マルチタスクとしてバックグラウンドで行われるため、使用者は、その間、ファイル閲覧などの操作を行うことができる。また、ステップＳ１１３を繰り返している間の適当な時期（例えば、広告表示スペースＭ１を３回更新した後）、ステップＳ１０３に戻って、通信状態を再度検知して、その後、同様の処理を行ってもよい。
【００２５】
本広告表示システム１によれば、記録媒体６をドライブに装填すると、ファイル管理ソフトが自動的に起動し、この操作画面Ｍにサーバーからダウンロードした広告が表示されるので、使用者に、最新の広告を確実に見せることができる。また、当該ソフトを起動している間、使用者に広告を見せることができ、仮に、その広告を積極的に見たいと思わない使用者であっても、広告表示スペースＭ１のみを終了させることはできないから、使用者に記録媒体６の操作と併行して広告を見せることができる。また、表示される広告は、オンライン時はサーバ２で準備された最新のものが表示され、一方、オフライン時であっても、記録媒体６に保存された広告が表示されるので、コンピュータ５の通信状況に拘わらず、広告表示スペースＭ１に広告を表示することができる。さらに、サーバ２からダウンロードする際には、通信速度に応じたデータ量の広告データがダウンロードされるので、広告表示スペースＭ１に広告を素早く表示させることができる。また、広告は、所定時間毎にすでに表示した広告とは異なる広告に変更表示されるので、使用者に、多数種の広告を確実に見せることができる。
【００２６】
（第２実施形態）
第２実施形態は、記録媒体の追記可能領域に任意のデータを読み書きする際に使用されるライティングプログラムの操作画面に広告を一体的に表示するものである。以下、主として上記第１実施形態と異なる構成を説明し、用語や図番などを援用する。
第２実施形態の記録媒体６のアプリケーション領域Ｒ２１に保存されたプログラムは、コンピュータ５のＯＳと協働してＣＰＵに命令を付与して各種の処理を実行するものであって、コンピュータ５のメモリなどに一時的に読み込まれて実行されるライティングプログラム、通信状態を検知する検知プログラム、通信プログラムなどが含まれる。ライティングプログラムは、記録媒体６をコンピュータ５のドライブに装填すると自動的に起動し、追記可能領域Ｒ１に任意のデータを書き込み又は追記可能領域Ｒ１に保存された任意のデータの読み込み、及び追記不可領域Ｒ２に使用者がデータを書き込めないようにすることをコンピュータ５に行わせ、図６に示すように、このライティングプログラムの操作画面Ｍの一部にこれと一体化して広告表示スペースＭ１を作製し、該広告表示スペースＭ１に広告データに基づく広告を表示することをコンピュータ５に実行させる。尚、操作画面Ｍには、使用者が、追記可能領域Ｒ１に任意のデータを記録するとき「保存する」アイコンＭ２や、追記可能領域Ｒ１に保存されたデータを読み出すときの「開く」アイコンＭ３や、追記可能領域Ｒ１の空き容量などを示す容量表示Ｍ４、通信状態を示すアイコンＭ５など適宜のアイコンが表示される。検知プログラム、通信プログラムなどは、上記第１実施形態と同様である。
第２実施形態の広告システム１の動作は、記録媒体６をドライブに装填すると、追記不可領域Ｒ２に保存されたライティングプログラムが起動して、コンピュータ５の表示装置に、ライティング用の操作画面Ｍが表示され、且つこの操作画面Ｍに一体的に広告表示スペースＭ１が設けられる。そして、この広告表示スペースＭ１に広告データに基づく広告が表示されるが、その手順は、上記第１実施形態のステップＳ１０３以降と同様である。
本実施形態によれば、記録媒体６を装填するとライティングプログラムが自動的に立ち上がり、これにより記録媒体６の追記可能領域Ｒ１にデータの読み書き操作を行っている間、使用者に広告を確実に見せることができる。
【００２７】
（第３実施形態）
第３実施形態は、記録媒体の追記可能領域に保存された任意のデータ（ファイル）を、コンピュータに付属のアプリケーションソフトで開いた際に、該アプリケーションソフトの操作画面に広告を一体的に表示するものである。以下、主として上記第１実施形態と異なる構成を説明し、用語や図番などを援用する。
第２実施形態の記録媒体６のアプリケーション領域Ｒ２１に保存されたプログラムは、コンピュータ５のＯＳと協働してＣＰＵに命令を付与して各種の処理を実行するものであって、コンピュータ５のメモリなどに一時的に読み込まれて実行される画面表示プログラム、通信状態を検知する検知プログラム、通信プログラムなどが含まれる。この画面表示プログラムは、記録媒体６をコンピュータ５のドライブに装填すると自動的に起動してコンピュータ５のメモリに読み込まれ、記録媒体６の追記可能領域Ｒ１に使用者が既に保存した任意のデータ（ファイル）をコンピュータ５に付属のアプリケーションソフトで開いた際に、このソフトの操作画面Ｍに、広告表示スペースＭ１を一体的に設け、該広告表示スペースＭ１に広告データに基づく広告を表示することをコンピュータ５に実行させる。例えば、記録媒体６の追記可能領域Ｒ１に保存されたデータを、ワープロソフト、表計算ソフトなどで開くと、ワープロソフトなどの操作画面Ｍに広告表示スペースＭ１が設けられる。画面表示プログラムは、記録媒体６に保存されたデータが開かれたかどうかを判断しているので、例えば、使用者のコンピュータ５のハードディスク内に保存されたデータを開いた場合には、そのソフトの操作画面には、広告は表示されない。検知プログラム、通信プログラムなどは、上記第１実施形態と同様である。
第３実施形態の広告システム１の動作は、記録媒体６をドライブに装填して、これに保存されたデータをコンピュータ５に備わっているアプリケーションソフトで開くと、コンピュータ５の表示装置に、操作画面Ｍが表示され、且つこの操作画面Ｍに一体的に広告表示スペースＭ１が設けられる。そして、この広告表示スペースＭ１に広告データに基づく広告が表示されるが、その手順は、上記第１実施形態のステップＳ１０３以降と同様である。
本実施形態によれば、記録媒体６の使用者が任意のアプリケーションソフトを操作している間も、使用者に広告を見せることができる。
【００２８】
（他の実施形態）
本発明は上記各実施形態に限定されるものではなく、適宜変更、付加、代用などすることができる。
例えば、上記各実施形態では、１つの広告データを広告表示スペースＭ１に表示した後、更に次位の広告データを逐次ダウンロードしてハードディスクなどに保存し、所定時間経過すると、この保存された広告データを読み出し、広告表示スペースＭ１を更新することを繰り返す（ステップＳ１１３）ものであったが、下記のような態様でもよい。
図７に示すように、ステップＳ１０１〜Ｓ１１２まで実行して第１位の広告データを広告表示スペースＭ１に表示した後、所定時間経過したかを判断し、所定時間経過すると、再度、コンピュータ５の通信状態を検知して、オンラインかオフラインかを判断する（ステップＳ１１４）。尚、通信状態を使用者に知らしめるため、オンライン又はオフラインの別を示すアイコンを表示してもよい（ステップＳ１１５）。また、オフラインの場合には、後述するステップＳ１１６へ移行する前に、オンラインに切り替えるか否か使用者に促す表示を行ってもよい。使用者がオンラインへの切り替えを望んだときには、後述するステップＳ１２０に進み、切り替えを望まなかったときには、ステップＳ１１６の処理を実行する。
次に、オフラインの際には、ハードディスクの保存用ファイルの中身と記録媒体６のデータ領域Ｒ２２に保存された複数の広告データを比較し、既に記録媒体６のデータ領域Ｒ２２から読み出された広告データがあるかどうかを判断する（ステップＳ１１６）。記録媒体６のデータ領域Ｒ２２から既に読み出された広告データがある場合には、その既読の広告データの次位に位置付けされた広告データを読み出す（ステップＳ１１７）。一方、未だ読み出された広告データがない場合には、データ領域Ｒ２２から第１位に位置付けされた広告データを読み出す（Ｓ１１８）。そして、この広告データを保存フォルダに保存すると共に、操作画面Ｍの広告表示スペースＭ１に表示することにより、操作画面Ｍの広告を更新する（ステップＳ１１９）。例えば、既に、データ領域Ｒ２２の第１位の広告データがハードディスクの保存フォルダに存在する場合には、第２位に位置付けられた広告データを読み出し、これをハードディスクの保存フォルダに保存すると共に、広告表示スペースＭ１に挿入表示する。一方、例えば、途中でオフラインになった場合などのように、１回目の通信状態はオンラインで、２回目の通信状態がオフラインの場合などには、保存フォルダに記録媒体６に起因する広告データが存在しないので、データ領域Ｒ２２の中から第１位の広告データを読み出し、同様にフォルダに保存した上で、広告表示スペースＭ１に挿入表示する。
【００２９】
一方、オンライン状態のときには、コンピュータ５が、予めアプリケーションプログラムに記録されているＵＲＬに自動的にアクセスして所定のサーバ２に接続し、広告データの送信要求を行う（ステップＳ１２０）。サーバ２は、送信要求のあったコンピュータ５のＩＰアドレスを特定し、上記と同様にして、そのコンピュータ５の通信速度を測り、通信速度を認定する（ステップＳ１２１）。そして、通信速度が所定基準以上かどうかを判断する（ステップＳ１２２）。基準以上の場合には、大広告データ群Ｄ１の中から、基準未満の場合には、小広告データ群Ｄ２の中から、広告データをコンピュータ５に送信するように決定する（ステップＳ１２３）。次に、サーバ２は、コンピュータ５のクッキーを参照して、決定した大広告データ群Ｄ１又は小広告データ群Ｄ２の中から、既に送信した広告データがあるかどうかを判断する（ステップＳ１２４）。
既に送信した広告データがある場合には、その既送信の広告データの次位に位置付けされた広告データの送信を決定する（ステップＳ１２５）。一方、未だ送信された広告データがない場合には、ステップＳ１２３で決定した大広告データ群Ｄ１又は小広告データ群Ｄ２の中の第１位に位置付けされた広告データの送信を決定する（Ｓ１２６）。そして、コンピュータ５は、この決定された広告データをダウンロードし（ステップＳ１２７）、これをハードディスクの保存フォルダに保存すると共に、操作画面Ｍの広告表示スペースＭ１に表示することにより、操作画面Ｍの広告を更新する（ステップＳ１１９）。例えば、既に、通信速度が基準以上で、既に大広告データ群Ｄ１の第１位の広告データがダウンロードされている場合には、大広告データ群Ｄ１の中の第２位に位置付けられた広告データがダウンロードされ、これをハードディスクの記憶ファイルに保存すると共に、広告表示スペースＭ１に挿入表示する。一方、例えば、途中でオンラインになった場合などのように、１回目の通信状態はオフラインで、２回目の通信状態がオンラインの場合などには、大広告データ群Ｄ１の中から第１位の広告データがダウンロードされる。尚、サーバ２は、再度コンピュータ５のクッキー（Cookie）を更新する。以降、記録媒体６の操作画面Ｍが閉じられるまで、この繰り返しステップＳ１１４〜Ｓ１２７が所定時間毎に繰り返される。このように、１つの広告データを広告表示スペースＭ１に表示した後、再度、通信状態を検知することにより、例えば、操作画面Ｍを開いている途中でオンライン又はオフラインの何れかに切り替わっても、使用者に、新たな広告を見せることができる。
【００３０】
また、上記各実施形態では、コンピュータ５の通信速度を計測して、通信速度によって、データ量の異なる広告データをダウンロードするものであったが、コンピュータ５のメモリの使用量を計測して、これを基に、ダウンロードする広告データが選択されるようにしてもよい。例えば、メモリの残量が４０％以下（使用量６０％以上）の場合には、この情報がコンピュータ５からサーバ２に送信され、サーバ２は、小広告データ群Ｄ２の広告データをダウンロードさせる。尚、ダウンロードされる広告データを決定するための要素として、通信速度とメモリの消費量を併用してもよい。例えば、所定の通信速度以上で且つ所定のメモリ残量以上の場合に、大広告データ群Ｄ１の広告データをダウンロードさせる。
さらに、本発明に於けるコンピュータ５とは、ＤＶＤ再生装置機能やテレビ機能などの家庭用電気製品の機能を具備するものも含む意味である。また、このコンピュータ５が接続される通信網も、インターネットに限られず、データ放送に於ける通信網を含む。
【００３１】
また、追記不可領域Ｒ２のデータ領域Ｒ２２に記録された広告データを、更新するようにプログラミングしてもよい。具体的には、サーバ２に、別途、記録媒体６の広告データ更新用のデータベースを準備し、コンピュータ５がオンライン状態の際の適当な時期（例えば、ステップＳ１０７の送信要求と同時）に、コンピュータ５からサーバ２にその広告データの送信要求を行い、これに応じてサーバ２は、記録媒体６の更新用広告データを１又は２以上送信し、記録媒体６のデータ領域Ｒ２２の広告データを更新するようにしてもよい。尚、この場合の記録媒体６としては、何度も書き換えることができる型のもの、例えば、ＣＤ−ＲＷなどが用いられる。また、この場合に於いても、記録媒体６の追記不可領域Ｒ２に使用者が任意のデータを書き込むことができないように規制している点は変わりがなく、又、更新される広告データは、サーバ管理者が最新に作製したものを第１位に位置付けるなどの所定の基準で順位付けされて記録される。このように、記録媒体６に保存された広告データも更新できるようにすれば、その記録媒体６に保存されている広告が操作画面Ｍに表示された場合に、比較的新しい広告を使用者に見せることができるので好ましい。この場合、広告データが記録媒体６の追記不可領域Ｒ２２に予め全く保存されておらず、上記オンライン状態の際に、広告データを初めて保存するようにしてもよい。
【図面の簡単な説明】
【００３２】
【図１】本発明の広告表示システムの構成図。
【図２】サーバの広告データベースの概念図。
【図３】記録媒体の構成参考図。
【図４】操作画面の一例を示す参考図。
【図５】広告表示システムのフローチャート図。
【図６】操作画面の他の例を示す参考図。
【図７】広告表示システムのフローチャート図。
【符号の説明】
【００３３】
１…広告表示システム、２…サーバ、３…通信網、５…コンピュータ、６…記録媒体、Ｄ１…サーバの大広告データ群（データ量の大きい広告データを保存したデータベース）、Ｄ２…サーバの小広告データ群（データ量の小さい広告データを保存したデータベース）、Ｒ１…記録媒体の追記可能領域、Ｒ２…記録媒体の追記不可領域、Ｒ２１…アプリケーション領域、Ｒ２２…データ領域、Ｍ…操作画面、Ｍ１…広告表示スペース
【図１】
2005099168.tif 000003
【図２】
2005099168.tif 000004
【図３】
2005099168.tif 000005
【図４】
2005099168.tif 000006
【図５】
2005099168.tif 000007
【図６】
2005099168.tif 000008
【図７】
2005099168.tif 000009